(57)【要約】【課題】撮影した画像をその画像の情報に基づいてコンテンツを再生することである。【解決手段】カメラ１で撮影時に設定された撮影モードで撮影を行う。カメラ１は撮影した撮影画像と、端末情報や撮影モードや撮影モードによる補正情報を画像情報として記憶し、コンテンツ出力装置に送信２する。コンテンツ出力装置２はカメラから送信されてきた撮影画像を第一領域に表示する。画像情報に含まれる端末情報や撮影モードに基づいたコンテンツを第二領域に表示を行い、補正情報に基づいて第一領域に表示されている撮影画像を強調表示する。【選択図】図８
2017227692.tif 000002
【特許請求の範囲】
【請求項１】
撮影画像と前記撮影画像の画像情報とを取得する取得部と、
前記撮影画像と共に前記画像情報に基づいたコンテンツを出力する出力部と、
を備えることを特徴とするコンテンツ出力装置。
【請求項２】
前記取得部が前記撮影画像と前記撮影画像の画像情報とを取得したかを判定する判定部と、
を更に備え、
前記出力部は、前記判定部の判定結果に基づいてコンテンツを出力することを特徴とする請求項１に記載のコンテンツ出力装置。
【請求項３】
前記画像情報は、前記撮影画像を撮影した端末情報を含み、
前記出力部は、前記画像と共に前記端末情報に基づいたコンテンツを出力する請求項１又は２に記載のコンテンツ出力装置。
【請求項４】
前記画像情報は、前記撮影画像を撮影した撮影モードを含み、
前記出力部は、前記画像と共に前記撮影モードに基づいたコンテンツを出力する請求項１〜３のいずれか一項に記載のコンテンツ出力装置。
【請求項５】
前記画像情報は、前記撮影画像を補正した補正情報を含み、
前記出力部は、前記画像と共に前記補正情報に基づいたコンテンツを出力する請求項１〜４のいずれか一項に記載のコンテンツ出力装置。
【請求項６】
前記出力部は、第一領域に前記画像を出力し、前記第一領域とは異なる第二領域に前記画像情報に基づいてコンテンツを出力することを特徴とする請求項１〜４に記載のコンテンツ出力装置。
【請求項７】
前記出力部は、前記補正情報に基づいて前記画像の一部を強調表示することを特徴とする請求項５に記載のコンテンツ出力装置。
【請求項８】
撮影画像と前記撮影画像の画像情報とを取得する取得ステップと、
前記撮影画像と共に前記画像情報に基づいたコンテンツを出力するステップと、
を含むことを特徴とするコンテンツ出力方法。
【請求項９】
コンピュータを、
撮影画像と前記撮影画像の画像情報とを取得する取得手段、
前記撮影画像と共に前記画像情報に基づいたコンテンツを出力する出力手段、
として機能させることを特徴とするプログラム。
【発明の詳細な説明】
【技術分野】
【０００１】
本発明は、コンテンツ出力装置、コンテンツ出力方法及びプログラムに関する。
【背景技術】
【０００２】
近年、鑑賞者に対して印象付けた告知を行うべく、人型に形成された平面のスクリーンに対して人物画像を投影し、種々の告知を行わせる表示装置が開発されている（例えば特許文献１参照）
【先行技術文献】
【特許文献】
【０００３】
【特許文献１】特開２０１１−１５０２２１号公報
【発明の概要】
【発明が解決しようとする課題】
【０００４】
しかしながら、従来の表示装置では撮影した画像をその画像の情報に基づいてコンテンツを再生できなかった。
【０００５】
そこで本発明の課題は、撮影した画像をその画像の情報に基づいてコンテンツを再生することである。
【課題を解決するための手段】
【０００６】
撮影画像と前記撮影画像の画像情報とを取得する取得部と、
前記撮影画像と共に前記画像情報に基づいたコンテンツを出力する出力部と、
を備えることを特徴とするコンテンツ出力装置。
【発明の効果】
【０００７】
撮影した画像をその画像の情報に基づいてコンテンツを再生することである。
【図面の簡単な説明】
【０００８】
【図１】は、本実施形態に係るコンテンツ出力システムの構成を示す図である。
【図２】は、本実施形態に係るカメラの構成を示すブロック図である。
【図３】は、本実施形態に係る画像情報記憶部を示す図である。
【図４】は、本実施形態に係るコンテンツ出力装置の構成を示すブロック図である。
【図５】は、本実施形態に係る端末コンテンツ記憶部を示す図である。
【図６】は、本実施形態に係る撮影モードコンテンツ記憶部を示す図である。
【図７】は、本実施形態に係るカメラのコンテンツ出力処理のフローチャートを示す図である。
【図８】は、本実施形態に係るコンテンツ出力装置のコンテンツ出力処理のフローチャートを示す図である。
【発明を実施するための形態】
【０００９】
以下、本発明を実施するための形態にかかるコンテンツ出力システムを、図面を参照して説明する。なお、図中同一又は相当する部分は同一符号を付す。
【００１０】
図１は、本実施形態に係るコンテンツ出力システムの構成を示す図である。図１の構成例において、コンテンツ出力システムはコンテンツ出力装置２とコンテンツ出力装置２と無線通信を行うカメラ１とから構成される。コンテンツ出力装置２とカメラ１は、例えば、Bluetooth（登録商標）  low  energy（以下、ＢＬＥという。）に基づいて、互いに無線通信を行う。ＢＬＥとは、Bluetooth（登録商標）と呼ばれる近距離無線通信規格において、低消費電力を目的として策定された規格（モード）である。なお、コンテンツ出力装置２とカメラ１間で使用する無線通信はWiFi（登録商標）等、他の無線通信規格を使用しても良い。
【００１１】
コンテンツ出力装置２は、例えば、背面投射型のプロジェクタを用いて図示しないスクリーンに向け照射する投影装置であって、店舗や展示会会場などに設置され、商品の説明、案内、アンケート等のコンテンツを再生するものであり、一方、カメラ１は、例えば、デジタルカメラである。なおカメラ１はカメラ機能のあるスマートフォン、タブレット型パーソナルコンピュータなどでもよい。
【００１２】
カメラ１は、図２に示すように、制御部１１、表示部１２、入力部１３、通信部１４、記憶部１５を備え、記憶部１５は、撮影画像記憶部１５１、画像情報記憶部１５２を含むものである。
【００１３】
制御部１１は、ＣＰＵ（Ｃｅｎｔｒａｌ  Ｐｒｏｃｅｓｓｉｎｇ  Ｕｎｉｔ）等によって構成され、記憶部１５に記億されている各種のプログラムを実行して所定の演算や各部の制御を行うＣＰＵとプログラム実行時の作業領域となるメモリとを備えている（いずれも図示略）。
【００１４】
表示部１１は、例えば、ＬＣＤ（Liquid  Crystal  Display）、ＥＬ（Electroluminescence）ディスプレイ等によって構成される。
【００１５】
入力部１３は、例えば、タッチパネルであり、表示部１１の上面に配置され、ユーザの操作内容を入力するために用いられるインタフェースである。タッチパネルは、例えば図示しない透明電極を内蔵し、ユーザの指等が接触した場合に、電圧が変化した位置を接触位置として検出し、その接触位置の情報を入力指示として制御部１１へ出力する。
【００１６】
通信部１４は、図示しないアンテナを介して、ＢＬＥに基づく無線信号の送信及び受信を行う。通信部１４は、ＢＬＥに基づくＢｅａｃｏｎ（アドバタイズ）をブロードキャストし、そのＢｅａｃｏｎに対して送られてきたコンテンツ出力装置２からの接続要求を受信した後、接続を確立しカメラ１から後述する撮影画像記憶部１６１に記憶された撮影画像と共に後述する画像情報記憶部１６２に記憶された画像情報を送信する。
【００１７】
撮影部１５は、図示はしないが、光学レンズ部と、イメージセンサと、を備えている。  光学レンズ部は、被写体を撮影するために、光を集光するレンズ、例えばフォーカスレ
ンズやズームレンズ等で構成される。フォーカスレンズは、イメージセンサの受光面に被写体像を結像させるレンズである。ズームレンズは、焦点距離を一定の範囲で自在に変化させるレンズである。光学レンズ部にはまた、必要に応じて、焦点、露出、ホワイトバランス等の設定パラメータを調整する周辺回路が設けられる。イメージセンサは、光電変換素子や、ＡＦＥ（Ａｎａｌｏｇ  Ｆｒｏｎｔ  Ｅｎｄ）等から構成される。光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮影部１５の出力信号として撮影画像が出力される。
【００１８】
記憶部１６は、撮影画像記憶部１６１と画像情報記憶部１６２を備える。撮影画像記憶部１６１は上述した撮影部１５で撮影した撮影画像を記憶し、画像情報記憶部１６２は撮影部が撮影した撮影画像の画像情報が記憶する。画像情報は、図３に示すように撮影画像の識別情報を示す撮影画像ＩＤと、撮影したカメラ２の端末情報を示す端末情報ＩＤ、撮影したモードを示す撮影モード情報、撮影モードで補正を行った箇所等を示す補正情報を記憶している。撮影モードは、例えば接写モード、オートモード、夜景モード等が含まれる。
【００１９】
図４は、コンテンツ出力装置２の構成を示すブロック図である。コンテンツ出力装置２は、制御部２１、表示部２２、入力部２３、通信部２４、記憶部２５を備え、記憶部２５は、撮影画像記憶部２５１、画像情報記憶部２５２、端末コンテンツ記憶部２５３、撮影モードコンテンツ記憶部２５４を有する。
【００２０】
制御部２１は、ＣＰＵ（Ｃｅｎｔｒａｌ  Ｐｒｏｃｅｓｓｉｎｇ  Ｕｎｉｔ）等によって構成され、記憶部２５に記億されている各種のプログラムを実行して所定の演算や各部の制御を行うＣＰＵとプログラム実行時の作業領域となるメモリとを備えている（いずれも図示略）。
【００２１】
表示部２２は、制御部２１から出力された画像データを投影光に変換してスクリーンに向けて照射するプロジェクタである。
例えば、プロジェクタとしては、アレイ状に配列された複数個（ＸＧＡの場合、横１０２４画素×縦７６８画素)の微小ミラーの各傾斜角度を個々に高速でオン/オフ動作して表示動作することでその反射光により光像を形成する表示素子であるＤＭＤ（デジタルマイクロミラーデバイス）を利用したＤＬＰ（Digital  Light  Processing）（登録商標）プロジェクタが適用可能である。表示部２２は第一領域と第二領域を有し、第一領域には撮影画像を出力し、第二領域には画像情報に基づいたコンテンツを出力する。
【００２２】
入力部２３は、ユーザからのコンテンツ切換え操作等を受け付ける。
【００２３】
通信部２４は、図示しないアンテナを介して、ＢＬＥに基づく無線信号の送信及び受信を行う。通信部２４は、カメラ１の通信部１４がＢＬＥに基づきブロードキャストしたＢｅａｃｏｎ（アドバタイズ）を受信し、そのＢｅａｃｏｎに対してカメラ１に接続要求を送信した後、接続を確立しカメラ１の撮影画像記憶部１６１に記憶された撮影画像と共に画像情報記憶部１６２に記憶された画像情報を受信する。
【００２４】
記憶部２５は、撮影画像記憶部２５１、画像情報記憶部２５２、端末コンテンツ記憶部２５３、撮影モードコンテンツ記憶部２５４を有する。撮影画像記憶部２５１は、通信部２４が受信した撮影画像を記憶し、画像情報記憶部２５２は撮影画像と共に受信した画像情報を記憶する。
【００２５】
端末コンテンツ記憶部２５３は、図５に示すように端末ＩＤとコンテンツＩＤを紐付けて記憶する。端末ＩＤは、カメラ１の種類示すＩＤであり、コンテンツＩＤは、コンテンツとそのコンテンツの識別番号を示す。端末コンテンツ記憶部２５３は、端末に応じたコンテンツを紐付けて記憶しているものである。
【００２６】
撮影モードコンテンツ記憶部２５４は図６に示すように、撮影モードＩＤとコンテンツＩＤを紐付けて記憶する。撮影モードＩＤは、カメラ１の撮影部が撮影した際の撮影モードを示すＩＤであり、コンテンツＩＤは、上述のようにコンテンツとそのコンテンツの識別番号を示す。撮影モードコンテンツ記憶部２５４は、撮影モードに応じたコンテンツを紐付けて記憶しているものである。
【００２７】
図７は本実施形態に係るカメラ１のコンテンツ表示処理のフローチャートを示す図である。カメラ１は、設定された撮影モードで撮像部１５を用い撮影し（ステップＳ４０１）、撮影画像記憶部１６１に記憶する（ステップＳ４０２）。撮影画像を記憶した後、撮影画像ＩＤ、端末情報、撮影モード情報、補正情報を画像情報記憶部１６２に記憶する（ステップＳ４０３）。撮影画像ＩＤは撮影画像に付与し、端末情報はカメラ１の端末の種類を示す情報を記憶する。撮影モードは、ユーザが撮影画像を撮影する際に設定した撮影モードを検出し、その撮影モードを記憶する。補正情報は、撮影モードに基づいて補正した箇所を記憶する。例えば、夜景モードの場合、輝度値を変更した箇所を記憶する。
【００２８】
その後、撮影画像と画像情報をコンテンツ出力装置２に送信する（ステップＳ４０４）。
【００２９】
図８は、本実施形態に係るコンテンツ出力装置２のコンテンツ表示処理のフローチャートを示す図である。まずコンテンツ出力装置２は、図示しない通常コンテンツ記憶部から通常コンテンツを読み取り、表示部２２に出力する（ステップＳ５０１）。
【００３０】
その後、カメラ１から通信部２４を用い撮影画像と画像情報を受信したかを判定する（ステップＳ５０２）。カメラ１から撮影画像と画像情報を受信していないと判定された場合は（ステップＳ５０２Ｎｏ）、ステップＳ５０１に戻り、通常コンテンツを出力し続ける。カメラ１から撮影画像と画像情報を受信したと判定された場合は（ステップＳ５０２Ｙｅｓ）、受信した撮影画像を撮影画像記憶部２５１に記憶し、受信した画像情報を画像情報記憶部２５２に記憶し、ステップＳ５０３に進む。
【００３１】
カメラ１から受信した撮影画像を表示部２２の第一領域に表示する（ステップＳ５０３）。ステップＳ５０３で表示部２２の第一領域に撮影画像を表示した後、カメラ１から受信した画像情報から端末ＩＤを読み出す。その後、端末コンテンツ記憶部２５３を参照し、受信した端末ＩＤに紐づいているコンテンツＩＤを読み出す。例えば、カメラ１が端末２の場合、カメラから端末ＩＤとして端末２が送信されてくる。送信された端末２の端末ＩＤに基づいて、端末コンテンツ記憶部２５３に端末２に紐づいて記憶してあるコンテンツＡ２を読み出す。
【００３２】
端末コンテン記憶部２５３からコンテンツＩＤを読み出した後、第二領域に端末コンテンツとしてコンテンツＩＤを表示する（ステップＳ５０４）。例えば、コンテンツＡ２はカメラの種類を示す端末２に対応する広告コンテンツである。そのため、コンテンツ表示装置２は第一領域に撮影画像を表示すると同時に第二領域に撮影したカメラ１の端末の広告コンテンツを見ることが可能となる。
【００３３】
第二領域に端末コンテンツを表示したら、ステップＳ５０５に進み端末コンテンツが終了したか否かを判定する（ステップＳ５０５）。ステップＳ５０５で端末コンテンツが終了していないと判定した場合（ステップＳ５０５Ｎｏ）、ステップＳ５０４に戻り端末コンテンツの表示を続ける。ステップＳ５０５で端末コンテンツが終了したと判定した場合（ステップＳ５０５Ｙｅｓ）、ステップＳ５０６に進む。
【００３４】
第二領域で端末コンテンツが終了した場合、画像情報記憶部２５２から撮影モードＩＤを読み出す。読み出した撮影モードＩＤに基づき、撮影モードコンテンツ記憶部２５４を参照し、撮影モードＩＤに紐づいているコンテンツＩＤを読み出す。例えば、ユーザがカメラ１で夜景モードに設定した場合、夜景モードに対応するコンテンツＩＤを読み出し、対応したコンテンツＩＤは夜景モードの広告コンテンツである。読み出したコンテンツＩＤを撮影モードコンテンツとして表示する（ステップＳ５０６）。このように第一領域に撮影画像を表示しつつ第二領域に撮影モードコンテンツを表示することで、撮影画像と撮影された撮影モードの広告コンテンツを同時に見ることが可能となる。
【００３５】
第二領域で撮影モードコンテンツを表示している場合、画像情報記憶部２５２から補正情報を読み出す。補正情報は、例えば撮影モードが夜景モードの場合に、撮影画像を補正した箇所を示す情報である。読み出した補正情報に基づいて撮影画像で補正を行った箇所の強調表示を行う（ステップＳ５０７）。
【００３６】
強調表示を行った後、撮影モードコンテンツが終了したか否かを判定する（ステップＳ５０８）。撮影モードコンテンツが終了していないと判断された場合（ステップＳ５０８Ｎｏ）、ステップＳ５０６に戻る。撮影モードコンテンツが終了したと判断された場合（ステップＳ５０８Ｙｅｓ）ステップＳ５０１に戻る。このように撮影モードで補正された箇所を強調することで、撮影モードの効果を強調することが出来る。
【００３７】
なお、本発明は、上記実施形態に限らず適宜変更可能である。例えば、本実施形態では、カメラ１とコンテンツ出力装置２とからなる複数の装置によるシステムであったが、カメラ１の機能をコンテンツ出力装置２に含め１つの装置で実現しても良い。
【００３８】
また、本発明は上述した実施形態に限定されるものではなく、実施段階ではその要旨
を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００３９】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４０】
［請求項１］
撮影画像と前記撮影画像の画像情報とを取得する取得部と、
前記撮影画像と共に前記画像情報に基づいたコンテンツを出力する出力部と、
を備えることを特徴とするコンテンツ出力装置。
［請求項２］
前記取得部が前記撮影画像と前記撮影画像の画像情報とを取得したかを判定する判定部と、
を更に備え、
前記出力部は、前記判定部の判定結果に基づいてコンテンツを出力することを特徴とする請求項１に記載のコンテンツ出力装置。
［請求項３］
前記画像情報は、前記撮影画像を撮影した端末情報を含み、
前記出力部は、前記画像と共に前記端末情報に基づいたコンテンツを出力する請求項１又は２に記載のコンテンツ出力装置。
［請求項４］
前記画像情報は、前記撮影画像を撮影した撮影モードを含み、
前記出力部は、前記画像と共に前記撮影モードに基づいたコンテンツを出力する請求項１〜３のいずれか一項に記載のコンテンツ出力装置。
［請求項５］
前記画像情報は、前記撮影画像を補正した補正情報を含み、
前記出力部は、前記画像と共に前記補正情報に基づいたコンテンツを出力する請求項１〜４のいずれか一項に記載のコンテンツ出力装置。
［請求項６］
前記出力部は、第一領域に前記画像を出力し、前記第一領域とは異なる第二領域に前記画像情報に基づいてコンテンツを出力することを特徴とする請求項１〜４に記載のコンテンツ出力装置。
［請求項７］
前記出力部は、前記補正情報に基づいて前記画像の一部を強調表示することを特徴とする請求項５に記載のコンテンツ出力装置。
［請求項８］
撮影画像と前記撮影画像の画像情報とを取得する取得ステップと、
前記撮影画像と共に前記画像情報に基づいたコンテンツを出力するステップと、
を含むことを特徴とするコンテンツ出力方法。
［請求項９］
コンピュータを、
撮影画像と前記撮影画像の画像情報とを取得する取得手段、
前記撮影画像と共に前記画像情報に基づいたコンテンツを出力する出力手段、
として機能させることを特徴とするプログラム。
【符号の説明】
【００４１】
１  カメラ
２  コンテンツ出力装置
１１  制御部
１２  表示部
１３  入力部
１４  通信部
１５  撮影部
１６  記憶部
１６１  撮影画像記憶部
１６２  画像情報記憶部
２１  制御部
２２  表示部
２３  入力部
２４  通信部
２５  記憶部
２５１  撮影画像記憶部
２５２  画像情報記憶部
２５３  端末コンテンツ記憶部
２５４  撮影モードコンテンツ記憶部
【図１】
2017227692.tif 000003
【図２】
2017227692.tif 000004
【図３】
2017227692.tif 000005
【図４】
2017227692.tif 000006
【図５】
2017227692.tif 000007
【図６】
2017227692.tif 000008
【図７】
2017227692.tif 000009
【図８】
2017227692.tif 000010